(57)【特許請求の範囲】
【請求項１】
ロータリ耕耘装置６の後方に幅の狭いフィルムロール４と幅の広いフィルムロール３とを上下2段に支架して設け、このうち幅の狭いフィルムロール４を左右横方向に移動不能な状態で固定し、幅の広いフィルムロール３を左右横方向に移動可能に支持して設け、初回往路では幅の狭いフイルムロール４から繰出されたマルチフイルム２によって成形直後の畝の上面を被覆するとともにこのフイルム２の左右両側端部に覆土し、復路では、往路で成形されてフイルム２が被覆された畝の上面に、幅広のフイルムロール３から引き出されたフイルム１の一部を重ねながら成形中の畝の上部を覆うようにし、前記２枚のフイルム１，２同士が重なった箇所の上面を接着させるように構成したことを特徴とするマルチフイルム敷設装置。
【発明の詳細な説明】
【０００１】
【産業上の利用分野】
この発明は、マルチフィルムを土壌上全面に亘って被覆するように敷設するマルチフィルム敷設装置に関する。
【０００２】
【従来の技術、及び発明が解決しようとする課題】
土壌消毒を行う場合は、マルチフィルムを土壌面全面に亘って被覆するのが土壌消毒のために有効であるが、この全面マルチでは各行程で被覆されるマルチフィルムは、左右両側縁部が土壌面に埋設、又は覆土される等によって固定されることが望ましく、安定した敷設作業を行うための条件となる。
【０００３】
【課題を解決するための手段】
この発明は、ロータリ耕耘装置６の後方に幅の狭いフィルムロール４と幅の広いフィルムロール３とを上下2段に支架して設け、このうち幅の狭いフィルムロール４を左右横方向に移動不能な状態で固定し、幅の広いフィルムロール３を左右横方向に移動可能に支持して設け、初回往路では幅の狭いフイルムロール４から繰出されたマルチフイルム２によって成形直後の畝の上面を被覆するとともにこのフイルム２の左右両側端部に覆土し、復路では、往路で成形されてフイルム２が被覆された畝の上面に、幅広のフイルムロール３から引き出されたフイルム１の一部を重ねながら成形中の畝の上部を覆うようにし、前記２枚のフイルム１，２同士が重なった箇所の上面を接着させるように構成したことを特徴とするマルチフイルム敷設装置の構成とする。
【０００４】
【作用】
作業開始にあたり、往路で最初の畝にマルチフイルムを掛ける場合には、耕耘幅と略同幅である幅狭のフイルムロール４からフイルム２を後方に引き出して耕耘成形直後の畝の上面を被覆する。このとき、覆土デイスクによりフイルム２の左右両側端部に土を掛けてフイルム２を押さえる。
【０００５】
畝の端に至り、復路を引き返しながら隣接耕耘作業を行って畝の上面にフイルム１を掛ける場合には、幅の広い方のフイルムロール３を既設の畝の方に寄せ、このフイルムロール３からフイルム１を引き出して成形中の畝の上面にフイルム１を掛けて行く。このとき、フイルム１，２同士が重なった箇所の上面を接着させ、フイルム１の左右方向の反対側端部には土を掛けてフイルム１を固定する。
そして、次の行程では隣接する既耕地側に幅広のフイルムロール３を横移動させ、前述のフイルム敷設作業を繰り返す。
【０００６】
【発明の効果】
この発明は、ロータリ耕耘装置６の後方に幅の狭いフィルムロール４と幅の広いフィルムロール３とを上下2段に支架して設け、このうち幅の狭いフィルムロール４を左右横方向に移動不能な状態で固定し、幅の広いフィルムロール３を左右横方向に移動可能に支持して設け、初回往路では幅の狭いフイルムロール４から繰出されたマルチフイルム２によって成形直後の畝の上面を被覆するとともにこのフイルム２の左右両側端部に覆土し、復路では、往路で成形されてフイルム２が被覆された畝の上面に、幅広のフイルムロール３から引き出されたフイルム１の一部を重ねながら成形中の畝の上部を覆うようにし、前記２枚のフイルム１，２同士が重なった箇所の上面を接着させるように構成したものであるから、最初の畝に被覆されたフイルム２は剥がれ難く、その後の行程ではこのフイルム１，２同士が重なる箇所を接着して畝の上面をフイルムで覆うようにしているので、畝全面を覆ったときのフイルムの剥がれが生じにくく安定したマルチフィルムの敷設作業を行うことができる。しかも、畝と畝との間に未耕地部分を残すことがない。
【０００７】
【実施例】
トラクタ車体の後部に三点リンク５によって、ロータリ耕耘装置６を装着して、この耕耘装置６の幅Ｌに亘って耕耘を行うことができる。この耕耘装置６の後側にマルチフィルム敷設装置７を装着する。このマルチフィルム敷設装置７は、該耕耘幅Ｌとほゞ同幅乃至若干狭い幅のマルチフィルム２をロール巻きにしてリールに支架させたフィルムロール４と、このマルチフィルム２よりも広幅のマルチフィルム１をロール巻きにしてリールに支架させるフィルムロール３と、耕耘装置６による耕耘幅Ｌの左右両側部において、マルチフィルム１，２の両側縁部上を押圧する押えロール８と、この押えロール８によって押圧されたマルチフィルム１，２の側端縁上に覆土する覆土ディスク９と、マルチフィルム
１の左右両側端縁Ａ上を押圧して下側の被覆フィルム上面Ｂに接着させる接着ロール１０等から構成される。１４は耕耘幅Ｌの両側端縁部を培土する培土器である。
【０００８】
前記押えロール８及び覆土ディスク９は、耕耘装置６に対して一定の位置にあり、覆土ディスク９は、左右各別に上下動操作することができ、覆土する側のみ下降させることにより、土壌の一部を被覆のマルチフィルムの側端縁部上面に覆土する。広、狭両マルチフィルム１，２のフィルムロール３，４は、両端を支枠１１に支持されて回動自在であり、上下に二段にして支架し、平行リンク１２によって耕耘装置６に対して左右方向へ一定間隔Ｄ切替移動自在に設ける。この支枠１１の左右両側部又は定位置のフレームにはスポンジロール等からなる接着ロール１０が設けられ、各接着ロール１０は各別に上下動切替自在で、接着側のフィルム側縁部Ａのみを押圧させることができる。
【０００９】
又、狭幅のマルチフィルム２のフィルムロール４は常時耕耘装置６に対して一定位置に設定し、広幅のマルチフィルム１のフィルムロール３のみ左右へ切替移動できる構成とするもよい。マルチフィルム１の左右両側縁部には、接着剤を塗布するか、テープ１３等で貼付する等によって、被覆フィルム上面Ｂに対する繰出フィルム側縁Ａの接着が可能な構成とする。又、これら接着剤の塗布装置やテープ貼付装置等を設けるもよい。
【００１０】
図例のように広幅のフィルムロール２が、狭幅のフィルムロール４に対して左側へ寄せられた関係位置に設定され、しかも、平行リンク１２が耕耘装置６に対して左側へ回動した位置で狭幅のフィルムロール４が耕耘幅Ｌと対向しうる関係にあるものとして、作業を説明する。トラクタを走行させて往行程Ｆの敷設作業では、耕耘装置６で耕耘される土壌面幅Ｌに狭幅のフィルムロール４から繰出されるマルチフィルム２が被覆されて、この左右両側縁が押えロール８で左右培土器１４による溝部に押圧され、又これと同時に左右の覆土ディスク９によって覆土Ｅして、マルチフィルム２全体を耕耘土壌面に被覆させ固定する。このとき左右の接着ロール１０は共に上昇させて非押圧姿勢におく。
【００１１】
この往行程Ｆにおける敷設作業が終って、折返しの復行程は、この往行程Ｆの左側（図面に向って。以下同じ）を折返す復行程Ｒ１と右側を折返す復行程Ｒとがある。このうち左側を折返す復行程Ｒ１（図４）では、広幅のフィルムロール３が既に往行程時に左側へ移動されているために、そのまゝ折返した状態で耕耘装置６の耕耘幅Ｌを往行程Ｆの耕耘幅Ｌに接近乃至連接することによって、繰出される広幅のマルチフィルム１の側縁部Ａが往行程Ｆで敷設されたマルチフィルム２の上面Ｂに重合され、この重合部上をこの側の押えロール１０によって押圧される。これによって、この重合部側ではマルチフィルム２と１とが接着剤やテープ１３等で接着される。又、これとは反対側のマルチフィルム２側縁部は往行程の場合と同様にして覆土ディスク９によって覆土され固定される。
【００１２】
又、前記右側を折返す復行程Ｒ（図３）では、耕耘幅Ｌを既設のマルチフィルム２の右側に接近させるようにして耕耘する。このためフィルムロール３は往行程Ｆ時の状態のまゝであると復行程Ｒでは右側に偏位した状態になるから、このフィルムロール３を平行リンク１２の左側揺動によって左寄りに移動させ、このフィルムロール３の左側端部を耕耘装置６から左側へ突出させて、マルチフィルム２の右側上面Ｂ上に重合させて接着する。
【００１３】
このようにして復行程Ｒ又はＲ１が終ると同様にして隣接地面の耕耘及びマルチフィルム１の敷設を継続する。図５〜図７において、上例と異なる点は、前記耕耘装置６のサイドカバー１５の下部を外側へ折り曲げて広くした拡張部１６を形成し、このサイドカバー１５の拡張部１６の付根部に沿って上下動自在の仕切板１７を設け、この仕切板１７を上げたときは拡張部１６によって耕耘爪１８の回転で耕耘される土壌の飛散が受け止められるが、仕切板１７を差込んで耕耘軸１９の先端部近くにおいて土壌面上を仕切ることによって、耕耘土壌の飛散はこの仕切板１７によって止められる。
【００１４】
このため、往行程Ｆで敷設されたマルチフィルム２の側縁部に沿って覆土Ｅされた部分には復行程Ｒ時の耕耘土壌の飛散は行われず、従って、テープ１３によって接合されたマルチフィルム１の接目部分に対する土壌の介入を防止しうる。なお、２０はリヤカバー、２１はメインカバー、２２はセンタドライブ形態の耕耘伝動ケースである。
【図面の簡単な説明】
【図１】平面配置図。
【図２】その一部の平面図、背面図。
【図３】作用を示す背面図。
【図４】作用を示す背面図。
【図５】耕耘装置の斜視図。
【図６】その背面図。
【図７】その一部の作用を示す背面図。
【符号の説明】
１    マルチフィルム
２    マルチフィルム
３    フィルムロール
４    フィルムロール
Ａ    側縁
Ｂ    上面
【図１】
0003577747.tif 000002
【図２】
0003577747.tif 000003
【図３】
0003577747.tif 000004
【図４】
0003577747.tif 000005
【図５】
0003577747.tif 000006
【図６】
0003577747.tif 000007
【図７】
0003577747.tif 000008
【図１２】
0003577747.tif 000009